(57)【要約】家電機器およびその遠隔制御方法では、前記家電機器のＷＩＦＩ（登録商標）モジュールを起動してＷＩＦＩモジュールをネットワークに接続し、移動端末側のＡＰＰから家電機器に許可要求を送信し、前記家電機器において、前記移動端末側のＡＰＰの前記家電機器に対する遠隔制御の許可を確認することを含む。【選択図】図１
2020515101.tif 000002
【特許請求の範囲】
【請求項１】
家電機器の無線伝送ＷＩＦＩ（登録商標）モジュールを起動して前記ＷＩＦＩモジュールをネットワークに接続し、
移動端末側のアプリＡＰＰから前記家電機器に許可要求を送信し、
前記家電機器において、前記移動端末側のＡＰＰの前記家電機器に対する遠隔制御の許可を確認する、
家電機器の遠隔制御方法。
【請求項２】
前記家電機器において許可を確認する前に、前記家電機器が正常な運転待機状態にあることを確認する必要がある、
請求項１に記載の家電機器の遠隔制御方法。
【請求項３】
前記移動端末側のＡＰＰが許可を取得した場合、前記家電機器における操作パネルを失効させるまたはロックする、
請求項１に記載の家電機器の遠隔制御方法。
【請求項４】
前記家電機器または移動端末側のＡＰＰにおいて許可を解除した場合、前記家電機器における操作パネルをアンロックする、
請求項３に記載の家電機器の遠隔制御方法。
【請求項５】
前記ＷＩＦＩモジュールがネットワークに接続された場合、前記移動端末側のＡＰＰは、前記家電機器のリアルタイムの状態情報を取得する、
請求項１に記載の家電機器の遠隔制御方法。
【請求項６】
前記移動端末側のＡＰＰは、前記家電機器に許可要求を送信し、前記家電機器における許可ボタンを押して許可を確認することをユーザーに提示する、
請求項１に記載の家電機器の遠隔制御方法。
【請求項７】
前記家電機器における電源ボタンを押すことによって許可を解除し、または前記移動端末側のＡＰＰにおけるボタンを押すことによって許可を解除する、
請求項４に記載の家電機器の遠隔制御方法。
【請求項８】
前記家電機器において許可を確認した場合、前記移動端末側のＡＰＰに提示情報が表示される、
請求項１に記載の家電機器の遠隔制御方法。
【請求項９】
請求項１から８のいずれか１項に記載の遠隔制御方法を利用し、前記家電機器に許可ボタンが設けられる、
家電機器。
【請求項１０】
前記家電機器は洗濯機である、
請求項９に記載の家電機器。
【発明の詳細な説明】
【技術分野】
【０００１】
本開示は、遠隔制御の技術分野に関し、例えば、家電機器およびその遠隔制御方法に関する。
【背景技術】
【０００２】
人々の生活の質の向上に伴い、洗濯機の使用頻度がますます高くなり、洗濯機に対する要求も高まっている。無線伝送ＷＩＦＩ（登録商標）機能付きの洗濯機はますます多くなり、携帯電話アプリＡＰＰで洗濯機を遠隔操作する頻度も増えている。
【０００３】
しかし、洗濯機を遠隔制御する場合、以下の不安全問題が多く現れる。第１、洗濯機の各部材が正常な安全洗濯の状態におらず、例えば、洗濯機に正常に給水できず、排水管の連結が良くない等の場合、そのまま洗濯機を遠隔で起動すると、溢水、給水できない等の状況が発生し、ユーザーに損失を与える可能性がある。第２、子供またはペットが洗濯機のそばにいる場合、そのまま洗濯機を起動すると、子供またはペットに重大な被害を与え、取り返しの付かない結果をもたらす可能性がある。
【０００４】
関連技術において、安全を確保するために、作業者が洗濯機の前に操作する必要があるが、若者はほとんど仕事で忙しく、高齢者は、現在のスマート洗濯機の操作が苦手である。
【発明の概要】
【課題を解決するための手段】
【０００５】
本開示は、遠隔制御の安全性を確保できる家電機器の遠隔制御方法を提供する。
【０００６】
本開示は、上記遠隔制御方法を利用した家電機器を更に提供する。
【０００７】
家電機器のＷＩＦＩモジュールを起動してＷＩＦＩモジュールをネットワークに接続し、移動端末側のＡＰＰから家電機器に許可要求を送信し、前記家電機器において、前記移動端末側のＡＰＰの前記家電機器に対する遠隔制御の許可を確認する家電機器の遠隔制御方法。
【０００８】
好ましくは、前記家電機器において許可を確認する前に、前記家電機器が正常な運転待機状態にあることを確認する必要がある。
【０００９】
好ましくは、前記移動端末側のＡＰＰが許可を取得した場合、前記家電機器における操作パネルを失効させるまたはロックする。
【００１０】
好ましくは、前記家電機器または移動端末側のＡＰＰにおいて許可を解除した場合、前記家電機器における操作パネルをアンロックする。
【００１１】
好ましくは、前記ＷＩＦＩモジュールがネットワークに接続された場合、前記移動端末側のＡＰＰは、前記家電機器のリアルタイムの状態情報を取得する。
【００１２】
好ましくは、移動端末側のＡＰＰは、家電機器に許可要求を送信し、前記家電機器における許可ボタンを押して許可を確認することをユーザーに提示する。
【００１３】
好ましくは、前記家電機器における電源ボタンを押すことによって許可を解除し、または前記移動端末側のＡＰＰにおけるボタンを押すことによって許可を解除する。
【００１４】
好ましくは、前記家電機器において許可を確認した場合、前記移動端末側のＡＰＰに提示情報が表示される。
【００１５】
上記家電機器の遠隔制御方法を利用し、前記家電機器に許可ボタンが設けられる家電機器。
【００１６】
好ましくは、前記家電機器は洗濯機である。
【発明の効果】
【００１７】
本開示に係る家電機器の遠隔制御方法は、移動端末側のＡＰＰの操作時の安全を確保し、家電機器が危険状態で起動されて運転する状況を回避する。
【図面の簡単な説明】
【００１８】
【図１】実施例１に係る家電機器の遠隔制御方法のフローチャートである。
【図２】実施例２に係る洗濯機の遠隔制御方法のフローチャートである。
【発明を実施するための形態】
【００１９】
実施例１
図１に示すように、本実施例は、以下のステップを含む家電機器の遠隔制御方法を提供する。
【００２０】
ステップ１１０において、家電機器のＷＩＦＩモジュールを起動してＷＩＦＩモジュールをネットワークに接続する。
【００２１】
電源ボタンを押すことによってオンにするとともに、ＷＩＦＩモジュールをネットワークに接続する。ネットワーク接続に成功したときに、移動端末側は、遠隔制御の機能を有するが、家電機器を操作することができず、この時、家電機器と移動端末側との間で、状態情報の同期のみが実現できる。
【００２２】
ステップ１２０において、移動端末側のアプリＡＰＰから家電機器に許可要求を送信する。
【００２３】
移動端末側のＡＰＰを許可することを家電機器の一端のユーザーに提示し、移動端末側のＡＰＰが家電機器に許可要求を送信すると、家電機器における許可ボタンを押すようにユーザーに提示するように構成される。許可要求を受信すると、ユーザーは、家電機器の状態を検査してもよく、家電機器の状態が安全ではなく、家電機器の起動が危険になることを防止する。
【００２４】
ステップ１３０において、家電機器において許可を確認する。
【００２５】
家電機器において許可を確認する前に、家電機器が正常な運転待機状態にあることを確認する必要がある。
【００２６】
家電機器において許可を確認した場合、移動端末側のＡＰＰに提示情報が表示される。提示情報は、文字提示、画像提示または音声提示であってもよく、家電機器を制御して操作できることをユーザーに提示するために使用される。
【００２７】
ステップ１４０において、移動端末側のＡＰＰは、許可を取得した場合、家電機器を遠隔制御する。
【００２８】
移動端末側のＡＰＰが家電機器を遠隔制御する場合、家電機器における操作パネルを失効させるまたはロックする。移動端末側のＡＰＰおよび操作パネルで同時に家電機器に対して異なる操作をし、更に逆の操作を指示することを回避し、家電機器の運転中の危険性を低減する。
【００２９】
移動端末側のＡＰＰおよび家電機器側は、時間帯によって異なる権限を有し、家にいるスマート家電の使用に苦手な高齢者が家電機器の状態の安全を確保できれば、外出した若者は遠隔操作を行い、家電機器の知能化および安全性を実現する。
【００３０】
本実施例における移動端末側のＡＰＰは、携帯電話、タブレットコンピュータ等であってもよく、携帯電話、タブレットコンピュータが携帯可能であるため、家電機器をいつでもどこでも制御することを実現できる。
【００３１】
実施例２
図２に示すように、本実施例は、以下のステップを含む洗濯機の遠隔制御方法を提供する。
【００３２】
ステップ２１０において、家電機器のＷＩＦＩモジュールを起動してＷＩＦＩモジュールをネットワークに接続する。
【００３３】
洗濯機における電源ボタンを押すことでオンにさせ、ネットワーク接続が成功すると、移動端末側のＡＰＰは、遠隔制御の機能を有するが、洗濯機を操作することができない。
【００３４】
ステップ２２０において、移動端末側のＡＰＰは洗濯機のリアルタイムの状態情報を取得する。
【００３５】
洗濯機のネットワーク接続が成功すると、洗濯機と移動端末側のＡＰＰとの間で状態情報の同期が実現され、例えば、現在の洗濯機のドラム内の温度、水位、積算電力、積算用水および警報状態等の情報は、洗濯機から移動端末側のＡＰＰに同期され、その後の移動端末側のＡＰＰの洗濯機に対する制御に根拠を提供することができる。
【００３６】
ステップ２３０において、洗濯機が正常な運転待機状態にあることを確認する。
【００３７】
洗濯機の洗濯の安全性を確保するために、ユーザーは、給水管、排水管の接続が良好であり、洗濯機のドアがロックされていることを事前に確認することができ、給水、排水の不調、ペットまたは子供が洗濯機に入る等の危害の現れを防止する。
【００３８】
ステップ２４０において、移動端末側のＡＰＰから洗濯機に許可要求を送信する。
【００３９】
移動端末側のＡＰＰが洗濯機に許可要求を送信すると、洗濯機において許可ボタンを押すことをユーザーに提示し、ユーザーは、洗濯機の状態に応じて許可ボタンを押すか否かを選択する。
【００４０】
ステップ２５０において、洗濯機において許可を確認する。
【００４１】
洗濯機が正常な運転待機状態にある場合、許可ボタンを押すと、許可が確認される。この時、洗濯機の給水管、排水管の接続が良好であり、洗濯機がロックされる。許可されると、移動端末側のＡＰＰに文字注意情報等のような提示情報が表示される。
【００４２】
ステップ２６０において、移動端末側のＡＰＰは、許可を取得した場合、家電機器を遠隔制御する。
【００４３】
この時、移動端末側のＡＰＰは、プログラムを選択し、パラメータを調節し、現在のプログラムを起動または一時停止することができるが、洗濯機における操作パネルが操作できず、洗濯機のタッチパネルには８０％透明なグレーが表示され、それと同時に、該過程中に洗濯機のドアがロックされている状態にあってアンロックされず、手で引いても洗濯機のドアを開くことができず、子供の誤操作による危険を回避し、移動端末側のＡＰＰおよび操作パネルが同時に異なる操作または逆の操作を行うことも回避し、洗濯過程の安全性を確保する。本実施例において、操作パネルには電源ボタンを備えない。
【００４４】
ステップ２７０において、洗濯機は許可を解除する。
ステップ２７０において、洗濯機における電源ボタンを押すことによって許可を解除し、移動端末側のＡＰＰは、洗濯機を操作することができなくなる。移動端末側のＡＰＰの洗濯機に対する操作の許可が解除されると、許可が解除されたという文字注意情報は同様に、移動端末側のＡＰＰに表示される。
【００４５】
移動端末側のＡＰＰが許可された後にも、洗濯機における電源ボタンを強制的に押すことができるため、電源ボタンを押すことにより、移動端末側のＡＰＰの洗濯機を遠隔制御する機能が解除される。
【００４６】
許可の解除は、移動端末側のＡＰＰにおける対応するボタンを押すことで実現してもよい。
【００４７】
ステップ２８０において、洗濯機における操作パネルは、洗濯機の運転を制御する。
【００４８】
この時、移動端末側のＡＰＰは、洗濯機を操作することができず、ユーザーは、直接に洗濯機を操作し、例えば、洗濯機のオン／オフ、運転プログラムの選択等の操作を行う。
【００４９】
洗濯機は、異なる時間帯において移動端末側のＡＰＰおよび洗濯機側によってそれぞれ制御されてもよく、同時に操作して制御することがない。且つ、洗濯機側で安全が確認されてから、移動端末側のＡＰＰは制御権限を有し、洗濯機の安全運転を確保する。
【００５０】
実施例３
本実施例は、上記遠隔制御方法を利用し、許可ボタンが設けられる家電機器を提供し、移動端末側のＡＰＰが許可を要求すると、家電機器における許可ボタンを押すことをユーザーに提示し、許可ボタンが押されば、移動端末側のＡＰＰの家電機器に対する制御が許可される。
【００５１】
好ましくは、該実施例における家電機器は洗濯機である。
【００５２】
本実施例において、家電機器は、エアコン、給湯器、炊飯器等であってもよい。
【産業上の利用可能性】
【００５３】
本開示の家電機器は、移動端末側のＡＰＰの操作時の安全を確保し、家電機器が危険な状態で起動されて運転する状況を回避する。
【図１】
2020515101.tif 000003
【図２】
2020515101.tif 000004
【国際調査報告】
2020515101.tif 000005
2020515101.tif 000006
2020515101.tif 000007
2020515101.tif 000008